(57)【特許請求の範囲】
【請求項１】
粘着性を持ち、かつ、平らな表面を有する柔軟な弾性体により形成された押圧部を備え、該押圧部により人体の会陰部を押圧することにより膀胱の排尿収縮運動を抑制するようにした排尿抑制具において、
前記押圧部は、円柱状に形成され、柄部を備えていることを特徴とする排尿抑制具。
【請求項２】
前記押圧部は前記柄部に回転自在に取り付けられていることを特徴とする請求項１に記載の排尿抑制具。
【発明の詳細な説明】
【技術分野】
【０００１】
本発明は、排尿抑制具に関するものであり、更に詳しくは、人体の特定部位を押圧することにより排尿を抑制し、以て、特に高齢者又は子供の頻尿ないし尿失禁を防止するようにした排尿抑制具に係るものである。
【背景技術】
【０００２】
頻尿又は尿失禁の治療・予防剤は、例えば特開平１１−１４４０号公報等により既に開示されている。
【０００３】
この頻尿又は尿失禁の治療・予防剤は、中枢性の排尿反射抑制作用とカルシウム拮抗作用とを持つ化合物を有効成分として含んでなるものである。
【先行技術文献】
【特許文献】
【０００４】
【特許文献１】特開平１１−１４４０号公報
【発明の概要】
【発明が解決しようとする課題】
【０００５】
上記従来の頻尿又は尿失禁の治療・予防剤は、粉剤、顆粒剤、錠剤、カプセル剤、注射剤等に製剤され、例えば経口投与されるものであるが、本発明は、薬剤に頼ることなく、かつ、皮膚を侵襲することなく、頻尿ないし尿失禁を防止するようにした簡単かつ安価であって、何人も極めて容易に使用することができる排尿抑制具を提供しようとしてなされたものである。
【課題を解決するための手段】
【０００６】
上記課題を解決するために、本発明は、下記の排尿抑制具を提供するものである。
【０００７】
（１）粘着性を持ち、かつ、平らな表面を有する柔軟な弾性体により形成された押圧部を備え、該押圧部により人体の会陰部を押圧することにより膀胱の排尿収縮運動を抑制するようにした排尿抑制具において、
前記押圧部は、円柱状に形成され、柄部を備えていることを特徴とする排尿抑制具（請求項１）。
【０００８】
（２）前記押圧部は前記柄部に回転自在に取り付けられている（請求項２）。
【発明の効果】
【０００９】
［請求項１の発明］
粘着性を持ち、かつ、平らな表面を有する柔軟な弾性体により形成された押圧部により人体の会陰部を押圧したときには、膀胱の排尿収縮運動が抑制される。したがって、この排尿抑制具は、膀胱の不随意の収縮による尿意切迫感を伴う過活動膀胱の治療に有効であり、特に高齢者又は子供の頻尿ないし尿失禁を効果的に防止することができる。
【００１０】
この排尿抑制具は、簡単かつ安価であって、何人も極めて容易に使用することができるものであり、薬剤に頼ることなく、頻尿ないし尿失禁を防止することができる。押圧部は、平らな表面を有する柔軟な弾性体により形成されているため、会陰部を押圧することにより該会陰部の皮膚に非侵害刺激を与える。換言すれば、該押圧部による皮膚刺激は侵襲を与えるおそれがない。
【００１１】
押圧部は、円柱状に形成され、柄部を備えているため、使用者は該柄部を手指で把持し、該押圧部により人体の会陰部を好ましく押圧することができる。
【００１２】
［請求項２の発明］
前記押圧部は柄部に回転自在に取り付けられているため、使用者は該柄部を手指で把持し、該押圧部を人体の会陰部上にて回転させることにより、該会陰部をより好ましく押圧することができる。
【図面の簡単な説明】
【００１３】
【図１】図１は、排尿抑制具の一例を示す斜視図である。
【図２】図２は、図１に示す排尿抑制具の断面図である。
【図３】図３は、図１に示す排尿抑制具の側面図である。
【図４】図４は、排尿抑制具の別の一例を示す斜視図である。
【図５】図５は、図４に示す排尿抑制具の断面図である。
【図６】図６は、排尿抑制具の更に別の一例を示す斜視図である。
【図７】図７は、図６に示す排尿抑制具の断面図である。
【図８】図８は、排尿抑制具の更に別の一例を示す斜視図である。
【図９】図９は、図８に示す排尿抑制具の断面図である。
【図１０】図１０は、図８に示す排尿抑制具の変形例を示す断面図である。
【図１１】実施例１における膀胱内圧の変化を示すグラフである。
【図１２】比較例１における膀胱内圧の変化を示すグラフである。
【発明を実施するための形態】
【００１４】
本発明による排尿抑制具は、粘着性を持ち、かつ、平らな表面を有する柔軟な弾性体により形成された押圧部１を備え、該押圧部１により人体の会陰部を押圧することにより膀胱の排尿収縮運動を抑制するようにしたものである。
【００１５】
会陰部（会陰）は、排尿口と肛門との間の部分である。すなわち、会陰部の長さは、人により著しく異なる。女性の会陰部の長さは、概ね３〜５ｃｍ程度であるが、男性の会陰部は、女性の会陰部よりも一般に広い。
【００１６】
押圧部１は、適度の粘着性を有することが必要である。また、押圧部１は、会陰部を押圧することにより該会陰部の皮膚に非侵害刺激を与えるように、平らな表面を有する柔軟な弾性体により形成される。
【００１７】
押圧部１は、好ましくは約４〜２０ｇ、より好ましくは約１２ｇの押圧力で会陰部を押圧するものとする。
【００１８】
押圧部１を形成する弾性体は、好ましくはエラストマーである。エラストマーとしては、例えば熱可塑性エラストマー、熱可塑性ポリウレタンエラストマー等が用いられる。押圧部１を形成する弾性体は、ゲルであってもよい。
【００１９】
図１〜図３に示す事例における押圧部１ａは、円柱状に形成され、柄部３を備えている。この事例においては、使用者は、柄部３を指で把持し、円柱状の押圧部１ａを会陰部に押圧する。
【００２０】
図１〜図３に示す事例における円柱状の押圧部１ａは、柄部３に回転自在に取り付けられることが望ましい。押圧部１ａが柄部３に回転自在に取り付けられている場合には、使用者は、柄部３を指で把持し、円柱状の押圧部１ａを会陰部の皮膚に当接させた状態で柄部３を該皮膚に沿って移動させることにより、押圧部１ａを該皮膚上にて回転させる。
【００２１】
図１〜図３に示す事例における押圧部１ａは、円柱状の芯材５ａの外面にエラストマーの表面部７ａを取り付けてなるものである。符号９に示すものは押圧部１ａの回転軸である。
【００２２】
図４、図５に示す事例における押圧部１ｂは、球状に形成され、柄部３を備えている。この事例においては、使用者は、柄部３を指で把持し、球状の押圧部１ｂを会陰部に押圧する。
【００２３】
図４、図５に示す事例における押圧部１ｂは、球状の芯材５ｂの外面にエラストマーの表面部７ｂを取り付けてなるものである。
【００２４】
図６、図７に示す事例における押圧部１ｃは、略直方体状に形成され、柄部３を備えている。この事例においては、使用者は、柄部３を指で把持し、略直方体状の押圧部１ｃを会陰部に押圧する。
【００２５】
図６、図７に示す事例における押圧部１ｃは、略直方体状の芯材５ｃの外面にエラストマーの表面部７ｃを取り付けてなるものである。
【００２６】
図８、図９に示す事例における押圧部１ｄは、略直方体状に形成され、柄部を備えていない。この事例においては、使用者は、直方体状の押圧部１ｄを手で把持して会陰部に押圧する。
【００２７】
図８、図９に示す事例における押圧部１ｄは、略直方体状の芯材５ｄの外面にエラストマーの表面部７ｄを取り付けてなるものである。
【００２８】
図１０に示す事例における押圧部１ｅは、エラストマーのみにより形成されている。
【実施例１】
【００２９】
芯材の外面に粘着性を持ち、かつ、平らな表面を有するエラストマーの表面部を備えさせてなる円柱状の押圧部（直径１４ｍｍ、長さ１４ｍｍ、重さ４．６ｇ）を合成樹脂製の柄部に回転自在に取り付けてなる排尿抑制具（重さ１２ｇ）を作成した。
【００３０】
［試験］
この実施例１の排尿抑制具による軽い皮膚刺激が膀胱機能に及ぼす効果を麻酔した成熟雄ラットを用いて調べた。
【００３１】
［試験方法］
成熟雄ラットを麻酔し、人工呼吸下で深部体温を生理的範囲に維持した。該ラットの膀胱頸部より膀胱内にポリエチレンチューブを挿入し、これを圧トランスデューサーに接続して膀胱内圧を測定した。膀胱内に生理食塩水を注入して膀胱を充満させ、該膀胱の排尿収縮運動を誘発した。
【００３２】
上記排尿抑制具の柄部を把持し、押圧部を該ラットの会陰部に当接させ、ゆっくりと回転させることにより、１分間の皮膚刺激を行った。
【００３３】
［試験結果］
〇刺激を与える前：  
膀胱内に生理食塩水を注入して膀胱内圧を高めると、膀胱は排尿収縮運動を行った。尿道がポリエチレンチューブにより塞がれているため、膀胱が収縮しても膀胱内容は排出されず、膀胱は振幅の大きな排尿収縮運動を１分間あたり１．５〜２回の頻度で繰り返した。
【００３４】
〇刺激を与えたとき：
実施例１の排尿抑制具により上述の如く１分間（図１１における符号ａに示す時間）の皮膚刺激を行ったときの膀胱内圧（単位：ｃｍＨ２Ｏ）の変化を図１１に示す。図１１から明らかなように、実施例１の排尿抑制具を用いて会陰部に皮膚刺激を加えることにより膀胱の排尿収縮運動が抑制された。膀胱の排尿収縮運動の抑制効果は、皮膚刺激を開始した時から現れ、皮膚刺激終了後も数分間持続した。
【００３５】
［比較例１］
排尿抑制具として、非侵害刺激を与える毛筆を用いた。
【００３６】
［試験］
この比較例１の毛筆によるブラッシング刺激が膀胱機能に及ぼす効果を麻酔した成熟雄ラットを用いて調べた。
【００３７】
［試験方法］
実施例１と同様に、成熟雄ラットを麻酔し、人工呼吸下で深部体温を生理的範囲に維持した。該ラットの膀胱頸部より膀胱内にポリエチレンチューブを挿入し、これを圧トランスデューサーに接続して膀胱内圧を測定した。膀胱内に生理食塩水を注入して膀胱を充満させ、該膀胱の排尿収縮運動を誘発した。
【００３８】
比較例１の毛筆により該ラットの会陰部に１分間のブラッシング刺激を与えた。
【００３９】
［試験結果］
〇刺激を与える前：  
上記実施例１と同じである。
【００４０】
〇刺激を与えたとき：
比較例１の毛筆により上述の如く１分間（図１２における符号ｂに示す時間）のブラッシング刺激を行ったときの膀胱内圧（単位：ｃｍＨ２Ｏ）の変化を図１２に示す。図１２から明らかなように、比較例１の毛筆により会陰部にブラッシング刺激を加えても、膀胱の排尿収縮運動の抑制効果はほとんど見られなかった。
【００４１】
［考察］
以上の結果から、実施例１の排尿抑制具による軽微な皮膚刺激がラットにおける膀胱の排尿収縮運動を抑制することが明らかとなった。したがって、実施例１の排尿抑制具による軽微な皮膚刺激が人における過活動膀胱ないし尿失禁の治療に有効であるという可能性が期待される。
【００４２】
従来、ラットにおける膀胱の排尿収縮運動は、会陰部皮膚に侵害刺激を与えたときには抑制されるものの、会陰部皮膚に非侵害刺激を与えてもほとんど影響を受けないことが報告されている（Sato et al. Brain Research 94:465-474,  1975）。上記試験においても、ラットの会陰部に対する毛筆による非侵害刺激は、膀胱の排尿収縮運動を抑制する効果をほとんど有しないことが明らかになった。
【００４３】
これに対し、実施例１の排尿抑制具による軽微な皮膚刺激は、ラットにおける膀胱の排尿収縮運動に対し、皮膚の侵害刺激に匹敵するような顕著な抑制効果を有することが初めて明らかとなった。実施例１の排尿抑制具による皮膚刺激は、侵襲を与えるものではないため、人に対する臨床応用に適したものである。
【符号の説明】
【００４４】
１  押圧部
１ａ  押圧部
１ｂ  押圧部
１ｃ  押圧部
１ｄ  押圧部
１ｅ  押圧部
３  柄部
５ａ  芯材
５ｂ  芯材
５ｃ  芯材
５ｄ  芯材
７ａ  表面部
７ｂ  表面部
７ｃ  表面部
７ｄ  表面部
９  回転軸
【図１】
0005631701.tif 000002
【図２】
0005631701.tif 000003
【図３】
0005631701.tif 000004
【図４】
0005631701.tif 000005
【図５】
0005631701.tif 000006
【図６】
0005631701.tif 000007
【図７】
0005631701.tif 000008
【図８】
0005631701.tif 000009
【図９】
0005631701.tif 000010
【図１０】
0005631701.tif 000011
【図１１】
0005631701.tif 000012
【図１２】
0005631701.tif 000013